(57)【要約】【課題】遊技機の制御装置同士を接続する信号線が的確に接続されていることを容易にかつ短時間に検査することができるとともに、不適切な装置が遊技機に組み込まれたり接続されたりした場合であっても的確に検出することができ、不正行為を許容する装置が接続されたりした場合であっても的確かつ容易にそのことを検出することができる遊技機の配線検査装置を提供する。【解決手段】２ｎ本の信号線の各々を識別することができる互いに異なる２ｎ個の識別信号であり低レベルの信号と高レベルの信号とからなる識別信号が、低レベルの信号又は高レベルの信号のいずれかからなる信号がｎ回まで出力され、出力された信号を検査する。また、２ｎ＋ｍ本の信号線の各々を識別することができる互いに異なる２ｎ＋ｍ個の識別信号であり低レベルの信号と高レベルの信号とからなる識別信号が、低レベルの信号又は高レベルの信号のいずれかからなる信号がｎ＋１回まで生成されて信号線に供給され、供給された信号を検査する。【選択図】図５
2008221007.tif 000002
【特許請求の範囲】
【請求項１】
遊技機における第１装置と第２装置とを互いに電気的に接続する２ｎ本の信号線（ｎは正の整数値）の各々を識別することができる互いに異なる２ｎ個の識別信号であって低レベルの信号と高レベルの信号とからなる識別信号を、前記第１装置又は前記第２装置のいずれか一方の装置から他方の装置へ前記信号線を介して供給する識別信号供給手段を含み、かつ、前記他方の装置において前記信号線を介して受信した受信信号から前記信号線の接続状態を検査する遊技機の配線検査装置であって、
前記他方の装置は、前記受信信号に含まれる高レベルの信号及び／又は低レベルの信号と予め記憶されているチェックデータとを比較して信号線の接続状態を判断する信号線受信手段を含み、
前記識別信号供給手段は、前記信号線の各々について、前記低レベルの信号又は前記高レベルの信号のいずれかの信号を順次生成し、これをｎ回まで行って生成した信号を前記識別信号として前記信号線に発する識別信号生成手段を有し、かつ、前記識別信号生成手段は、各回毎の信号生成に際して、２ｎ／２本の信号線には低レベルの信号を割り当て、残りの信号線には高レベルの信号を割り当てた信号線割当パターンで信号を生成すると共に、各回毎の信号線割当パターンの全てを異ならしめて前記識別信号を生成する信号線割当手段を有し、前記識別信号生成手段は、前記遊技機における遊技の態様によって定まる前記第１装置及び前記第２装置の機能に基づいて異ならしめて記憶された信号線割当パターンに応じて識別信号を生成することを特徴とする遊技機の配線検査装置。
【請求項２】
遊技機における第１装置と第２装置とを互いに電気的に接続する２ｎ＋ｍ本の信号線（ｎは正の整数値で、ｍは１以上で（２ｎ＋１−２ｎ）未満の正の整数値）の各々を識別することができる互いに異なる２ｎ＋ｍ個の識別信号であって低レベルの信号と高レベルの信号とからなる識別信号を、前記第１装置又は前記第２装置のいずれか一方の装置から他方の装置へ前記信号線を介して供給する識別信号供給手段を含み、かつ、前記他方の装置において前記信号線を介して受信した受信信号から前記信号線の接続状態を検査する遊技機の配線検査装置であって、
前記他方の装置は、前記受信信号に含まれる高レベルの信号及び／又は低レベルの信号と予め記憶されているチェックデータとを比較して信号線の接続状態を判断する信号線受信手段を含み、
前記識別信号供給手段は、前記信号線の各々について、前記低レベルの信号又は前記高レベルの信号のいずれかの信号を順次生成し、これをｎ＋１回まで行って生成した信号を前記識別信号として前記信号線に発する識別信号生成手段を有し、かつ、前記識別信号生成手段は、前記信号線が２ｎ＋１本あるとして、各回毎の信号生成に際して、２ｎ＋１／２本の信号線には低レベルの信号を割り当て、残りの信号線には高レベルの信号を割り当てた信号線割当パターンで信号を生成すると共に、各回毎の信号線割当パターンの全てを異ならしめて２ｎ＋１個の識別信号を生成するとしたときにおける前記２ｎ＋１個の識別信号のうちの２ｎ＋ｍ個の識別信号を、前記２ｎ＋ｍ本の信号線の各々に供給し、かつ、前記識別信号生成手段は、前記遊技機における遊技の態様によって定まる前記第１装置及び前記第２装置の機能に基づいて異ならしめて記憶された信号線割当パターンに応じて識別信号を生成することを特徴とする遊技機の配線検査装置。
【請求項３】
前記識別信号供給手段は、前記ｎ回までの各回の全てについて低レベルの信号を発した信号線については、高レベルの信号を、かつ前記ｎ回までの各回の全てについて高レベルの信号を発した信号線については、低レベルの信号を、ｎ＋１回目に生成することを特徴とする請求項１記載の遊技機の配線検査装置。
【請求項４】
前記識別信号供給手段は、前記ｎ＋１回までの各回の全てについて低レベルの信号を発した信号線については、高レベルの信号を、かつ前記ｎ＋１回までの各回の全てについて高レベルの信号を発した信号線については、低レベルの信号を、ｎ＋２回目に生成することを特徴とする請求項２記載の遊技機の配線検査装置。
【請求項５】
前記他方の装置は、前記受信信号に含まれる高レベルの信号及び／又は低レベルの信号から、前記信号線の接続状態を判断する信号線判断手段を含むことを特徴とする請求項１〜４記載の遊技機の配線検査装置。
【発明の詳細な説明】
【技術分野】
【０００１】
本発明は、遊技機における第１装置と第２装置とを互いに電気的に接続する信号線を介して受信した受信信号から信号線の接続状態を検査する遊技機の配線検査装置に関する。
【背景技術】
【０００２】
弾球遊技機等の遊技機においては、複数の装置、例えば主制御装置と副制御装置とが互いに信号線によって電気的に接続されている。この信号線を介して種々の情報のやりとりが行われている。これらの情報に基づいて遊技球の払出数が定められたりするが故に、これらの複数の装置は信号線によって互いに適切に接続されている必要がある。また、遊技結果を有利なものにせんとする不正行為を行うべく、遊技機に本来接続されることのない装置が入れ替えられて接続されたようなときには、そのことを的確に検出する必要もある。
【０００３】
このため、遊技機における装置が適切に接続されているか否か、又は適切な装置が接続されているか否かを検査する装置が考え出されており、例えば、特許第３０７８５０５号公報に開示されている如き遊技機が知られている。
【０００４】
この従来の遊技機において装置同士を接続する信号線の本数が４本であるときに、第１の信号線には、「１」−「０」−「０」−「０」を示す２値化信号を供給し、第２の信号線には、「０」−「１」−「０」−「０」を示す２値化信号を供給し、第３の信号線には、「０」−「０」−「１」−「０」を示す２値化信号を供給し、第４の信号線には、「０」−「０」−「０」−「１」を示す２値化信号を供給する。
【０００５】
このように信号線の各々に異なる信号を供給し、信号線を介して受信した信号の内容が適切なものであるか否かを判断することにより、信号線の接続状態を検査する。例えば、第２の信号線について検査するときには、第２の信号線を介して受信した信号の内容が、「０」−「１」−「０」−「０」であれば、第２の信号線は、適切な接続状態であると判別し、受信した信号の内容が、これ以外のものであったときには、第２の信号線は、適切な接続状態ではないと判別するのである。従って、受信信号が供給された信号と同じ信号であるか否かを判断することにより、信号線の接続状態が適切なものであるか否かを判断することができるのである。
【０００６】
このように従来の遊技機においては、４本の信号線が接続されているときには、「０」又は「１」に相当する信号を少なくとも４回信号線に供給する必要があった。即ち、信号線の数に比例した回数だけ「０」又は「１」に相当する信号を送受信しなければ、信号線の接続状態を検査したり、接続されている装置が適切なものであるか否かを検査することができないものであった。
【発明の開示】
【発明が解決しようとする課題】
【０００７】
上述した如く、従来の装置において信号線の接続状態や、接続されている装置が適切なものであるか否かを判断するには、信号線の本数以上の回数だけ「０」又は「１」に相当する信号を供給する必要があった。
【０００８】
また、遊技機を提供する目的は、遊技者の興趣を高めて遊技者を遊技に引き付けることにより、気軽に楽しむことができる娯楽の１つとして少しでも多くの大衆に遊技機による遊技を浸透させていくことにある。このような目的を達成するためには、斬新で面白みのある遊技機を遊技者に常に提供していく必要がある。
【０００９】
このため、これまでの遊技に新たな遊技を追加したり、遊技の進行に伴う演出に工夫を凝らしたりする必要がある。このようなことを実現していくためには、遊技機をより複雑に制御せざるを得なかったり、速やかな処理をせざるを得なかったりする。複雑な制御をしたり、処理を速めたりするときには、遊技機の制御装置同士を接続する信号線の本数を増やさざるを得ない場合がある。このような傾向は、今後も続いていくものと十分に予想される。特に画像による演出をするような場合には、演出効果を高めるために、膨大なデータを高速に処理する必要が生じ、信号線の種類や数も増やさざるを得ないものとなる。信号線の種類や数が増えていくに従って、信号線が的確に接続されているか否かの検査は煩雑なものになるとともに、誤配線される可能性も高くなり得る。このため、信号線の検査を容易なものにする必要が生ずる。
【００１０】
更にまた、不正行為を許容する装置が遊技機に組み込まれていたことが発覚したときには、遊技機に対する疑惑や不信感により直ちに遊技者の遊技に対する熱意が冷め、上述した如き目的を達成し得ないことは明らかである。
【００１１】
本発明は、上述した如き課題に鑑みてなされたものであり、遊技機の制御装置同士を接続する信号線が的確に接続されていることを容易にかつ短時間に検査することができるとともに、接続されている制御装置が適切なものであることを検出することができる遊技機の配線検査装置を提供することにある。
【課題を解決するための手段】
【００１２】
以上のような目的を達成するために、本発明においては、２ｎ本の信号線の各々を識別することができる互いに異なる２ｎ個の識別信号であり低レベルの信号と高レベルの信号とからなる識別信号が、低レベルの信号又は高レベルの信号のいずれかからなる信号がｎ回まで出力され、出力された信号を検査することを特徴とする。
【００１３】
従って、２ｎ本の信号線を検査する装置であって、低レベルの信号又は高レベルの信号のいずれかからなる信号がｎ回まで出力されるとともに、出力された信号が２ｎ本の信号線の各々に対して全て異なるものである遊技機の配線検査装置は、本発明の概念に含まれるものとなる。
【００１４】
また、２ｎ＋ｍ本の信号線の各々を識別することができる互いに異なる２ｎ＋ｍ個の識別信号であり低レベルの信号と高レベルの信号とからなる識別信号が、低レベルの信号又は高レベルの信号のいずれかからなる信号がｎ＋１回まで生成されて信号線に出力され、出力された信号を検査することを特徴とする。
【００１５】
従って、２ｎ＋ｍ本の信号線を検査する装置であって、低レベルの信号又は高レベルの信号のいずれかからなる信号がｎ＋１回まで出力されるとともに、出力された信号が２ｎ＋ｍ本の信号線の各々に対して全て異なるものである遊技機の配線検査装置は、本発明の概念に含まれるものとなる。
【００１６】
より具体的には、本発明は以下の如き遊技機の配線検査装置を提供する。
（１）  遊技機における第１装置と第２装置とを互いに電気的に接続する２ｎ本の信号線（ｎは正の整数値）の各々を識別することができる互いに異なる２ｎ個の識別信号であって低レベルの信号と高レベルの信号とからなる識別信号を、前記第１装置又は前記第２装置のいずれか一方の装置から他方の装置へ前記信号線を介して供給する識別信号供給手段を含み、かつ、前記他方の装置において前記信号線を介して受信した受信信号から前記信号線の接続状態を検査する遊技機の配線検査装置であって、前記他方の装置は、前記受信信号に含まれる高レベルの信号及び／又は低レベルの信号と予め記憶されているチェックデータとを比較して信号線の接続状態を判断する信号線受信手段を含み、前記識別信号供給手段は、前記信号線の各々について、前記低レベルの信号又は前記高レベルの信号のいずれかの信号を順次生成し、これをｎ回まで行って生成した信号を前記識別信号として前記信号線に発する識別信号生成手段を有し、かつ、前記識別信号生成手段は、各回毎の信号生成に際して、２ｎ／２本の信号線には低レベルの信号を割り当て、残りの信号線には高レベルの信号を割り当てた信号線割当パターンで信号を生成すると共に、各回毎の信号線割当パターンの全てを異ならしめて前記識別信号を生成する信号線割当手段を有し、前記識別信号生成手段は、前記遊技機における遊技の態様によって定まる前記第１装置及び前記第２装置の機能に基づいて異ならしめて記憶された信号線割当パターンに応じて識別信号を生成することを特徴とする遊技機の配線検査装置。
【００１７】
（２）  遊技機における第１装置と第２装置とを互いに電気的に接続する２ｎ＋ｍ本の信号線（ｎは正の整数値で、ｍは１以上で（２ｎ＋１−２ｎ）未満の正の整数値）の各々を識別することができる互いに異なる２ｎ＋ｍ個の識別信号であって低レベルの信号と高レベルの信号とからなる識別信号を、前記第１装置又は前記第２装置のいずれか一方の装置から他方の装置へ前記信号線を介して供給する識別信号供給手段を含み、かつ、前記他方の装置において前記信号線を介して受信した受信信号から前記信号線の接続状態を検査する遊技機の配線検査装置であって、前記他方の装置は、前記受信信号に含まれる高レベルの信号及び／又は低レベルの信号と予め記憶されているチェックデータとを比較して信号線の接続状態を判断する信号線受信手段を含み、前記識別信号供給手段は、前記信号線の各々について、前記低レベルの信号又は前記高レベルの信号のいずれかの信号を順次生成し、これをｎ＋１回まで行って生成した信号を前記識別信号として前記信号線に発する識別信号生成手段を有し、かつ、前記識別信号生成手段は、前記信号線が２ｎ＋１本あるとして、各回毎の信号生成に際して、２ｎ＋１／２本の信号線には低レベルの信号を割り当て、残りの信号線には高レベルの信号を割り当てた信号線割当パターンで信号を生成すると共に、各回毎の信号線割当パターンの全てを異ならしめて２ｎ＋１個の識別信号を生成するとしたときにおける前記２ｎ＋１個の識別信号のうちの２ｎ＋ｍ個の識別信号を、前記２ｎ＋ｍ本の信号線の各々に供給し、かつ、前記識別信号生成手段は、前記遊技機における遊技の態様によって定まる前記第１装置及び前記第２装置の機能に基づいて異ならしめて記憶された信号線割当パターンに応じて識別信号を生成することを特徴とする遊技機の配線検査装置。
【００１８】
上述した（１）の発明によれば、２ｎ本の信号線についての識別信号として、低レベルの信号又は高レベルの信号のいずれかの信号をｎ回だけ生成した信号を用い、（２）の発明によれば、２ｎ＋ｍ本の信号線についての識別信号として、低レベルの信号又は高レベルの信号のいずれかの信号をｎ＋１回だけ生成した信号を用いているので、２ｎ回又は２ｎ＋ｍ回生成する必要があった従来の装置に比して、極めて短い時間で信号線の状態、例えば、配線が所望とする配列で接続されているか否か、又は信号線に断線や短絡等の障害が発生しているか否かを判断することができる識別信号を生成することができることとなる。また、信号線の状態を短時間で検査できるので、頻繁に検査を行うことができ、遊技の進行中においても検査することができ、遊技を妨げることなく信号線の状態を的確に判断することができる。
【００１９】
尚、上述した（１）又は（２）の発明において、「遊技機における第１装置と第２装置」とは、遊技機内に予め内臓されている装置である場合のみならず、第１装置と第２装置のいずれか一方の装置が、遊技機の外部から遊技機に接続される外部装置をも含む意味であり、例えば、遊技機のメンテナンスの際に接続される装置をも含むものである。
【００２０】
このようにすることにより、外部装置が適切に遊技機に接続されているかを検査することができるとともに、遊技機に接続された外部装置が適切なものであるか否かを検査することもできるのである。
【００２１】
また、「信号線割当パターンで信号を生成する」とは、遊技機の制御装置の記憶手段、例えばＲＯＭ等に予め信号線割当パターンを記憶させておき、信号を出力する際に、記憶手段から信号線割当パターンを読み出し、読み出した信号線割当パターンに応じて識別信号として信号を生成する場合のみならず、信号を生成する際にその度ごとに信号線割当パターンを演算処理により定め、演算処理により得られた信号線割当パターンに応じて識別信号として信号を生成する場合をも含むものである。
【００２２】
このようにすることにより、常に同じ順序の信号線割当パターンで信号を生成することができるとともに、ある規則に基づく演算処理により信号線割当パターンを得ることとして、信号線割当パターンの順序が適宜変更するように信号を生成することもできるのである。信号線割当パターンの順序を適宜変更されて信号を生成することとした場合には、不正行為をより的確に発見することができるとともに、不正行為を未然に防止する契機とすることもできるのである。
【００２３】
更に、「前記遊技機における遊技の態様」とは、遊技の種類、例えば弾球遊技機であるか回胴式遊技機であるか、さらに、遊技の進行に従ってなされる遊技の演出、例えば遊技機に設けられている画像表示装置やランプ等においてなされる演出も含むものである。また、遊技の開始を可能状態する形式、例えばいわゆる現金機かＣＲ機（カードリーダ機）かをも含む概念である。
【００２４】
このように、「前記識別信号生成手段は、前記遊技機における遊技の態様によって定まる前記第１装置及び前記第２装置の機能に基づいて異なる識別信号を生成する」ので、本来接続されることのない装置が接続された場合であっても、そのことを的確に検出することができる。
【００２５】
例えば、装置の製造時や修理時において、装置を組立てたり装置同士を接続したりするときに、不適切な装置が遊技機に組み込まれたり接続されたりした場合であっても的確に検出することができるのである。
【００２６】
また、本来回胴式遊技機に組み込まれるべき装置が、弾球遊技機に組み込まれたような場合や、その逆の場合であっても、そのことを的確に検出することができる。
【００２７】
更に、遊技の進行に従ってなされる遊技の演出をするための装置が、不適切なものである場合、例えば、画像制御装置と画像表示装置とが不適切な組合せとなって、解像度や表示可能な色の数等の表示条件や表示環境が整合しない装置同士が接続された場合や、ランプ等の電気的に制御される演出装置とその制御装置とが不適切な組合せとなった場合も、そのことを的確に検出することができる。
【００２８】
更にまた、不正行為を許容する行為が行われたり、不正行為を許容する装置が接続されたりした場合であっても的確にそのことを検出することができる。例えば、弾球遊技機が、遊技店に設置された後に、本来現金機に接続されるべき装置が、ＣＲ機に接続されたときや、またその逆のことが行われたときであっても、そのことを的確に検出することができる。
【００２９】
（３）  前記識別信号供給手段は、前記ｎ回までの各回の全てについて低レベルの信号を発した信号線については、高レベルの信号を、かつ前記ｎ回までの各回の全てについて高レベルの信号を発した信号線については、低レベルの信号を、ｎ＋１回目に生成することを特徴とする上記（１）記載の遊技機の配線検査装置。
【００３０】
（４）  前記識別信号供給手段は、前記ｎ＋１回までの各回の全てについて低レベルの信号を発した信号線については、高レベルの信号を、かつ前記ｎ＋１回までの各回の全てについて高レベルの信号を発した信号線については、低レベルの信号を、ｎ＋２回目に生成することを特徴とする上記（２）記載の遊技機の配線検査装置。
【００３１】
上述した（３）又は（４）の発明によれば、２ｎ本の信号線又は２ｎ＋ｍ本の全ての信号線について信号線の接続状態、例えば、配線が所望とする配列で接続されているか否か、及び信号線に断線や短絡等の障害が発生しているか否かを検査することができる識別信号を生成することができる。
【００３２】
（５）  前記他方の装置は、前記受信信号に含まれる高レベルの信号及び／又は低レベルの信号から、前記信号線の接続状態を判断する信号線判断手段を含むことを特徴とする上記（１）〜（４）記載の遊技機の配線検査装置。
上述した（５）の発明によれば、遊技機の制御装置同士を接続する信号線が的確に接続されていることを判別することができるとともに、接続されている制御装置が適切なものであることを判別することができる。
【発明の効果】
【００３３】
本発明によれば、遊技機の制御装置同士を接続する信号線が的確に接続されていることを容易にかつ短時間に検査することができるとともに、不適切な装置が遊技機に組み込まれたり接続されたりした場合であっても的確に検出することができ、不正行為を許容する装置が接続されたりした場合であっても的確かつ容易にそのことを検出することができるのである。
【発明を実施するための最良の形態】
【００３４】
以下に、本発明の実施例について図面に基づいて説明する。
本発明に係る遊技機の一例である弾球遊技機の概観を示す図を図１に示す。
【００３５】
この弾球遊技機１０には、遊技機の外郭保持枠をなす外枠１２と、この外枠１２に開閉自在に軸支される前枠１４とが設けられており、前枠１４には、ガラス扉１６や、遊技球を受けるための上皿１８及び下皿２０や、打球ハンドル２２や、遊技盤２４を収容する収容部等の各種の部材が設けられている。
【００３６】
遊技盤２４には、レール２６により区画された遊技領域２８が設けられており、遊技領域２８の略中央部には、図柄の画像等の種々の画像を表示する画像表示装置３０が設けられている。さらに、遊技領域２８には、図柄の変動開始の条件を定める特定入賞口３２や、遊技が大当たりとなったときに開閉する大入賞口３４や、その他複数の一般入賞口３６及び３８や、遊技球の落下に影響を及ぼす風車４０及び４２や、多数の遊技釘（図示せず）や、アウト口４４も設けられている。
【００３７】
上述した打球ハンドル２２を遊技者が回動操作したときには、上皿１８から打球発射部（図示せず）へ遊技球が１個ずつ供給され、遊技球は、打球ハンドル２２の回動操作に応じた強度で、打球発射装置（後述する図２において示す１６０）によって遊技領域２８に打球として発射される。
【００３８】
遊技領域２８に発射された打球は、上述した風車や遊技釘との接触を繰り返して移動方向を変えながら落下し、上述した各種の入賞口３２〜３８やアウト口４４に流入することとなる。打球が、いずれかの入賞口３２〜３８に入賞したときには、所定数の遊技球が賞球として上皿１８又は下皿２０に払い出される。
【００３９】
また、入賞口のうちの特定入賞口３２に打球が入賞したときには、画像表示装置３０に表示された図柄は変動を開始し、所定の動画像や図柄の変動態様が所定時間だけ表示された後、図柄の変動を停止する。図柄の変動を停止したときに、画像表示装置３０に表示された図柄の停止態様が特定のものとなった場合、例えば、図柄が示す数値が１〜９のいわゆるぞろ目となった場合には、遊技は大当たりとなる。遊技が大当たりとなったときには、画像表示装置３０において所定のデモ画像が表示された後、上述した大入賞口３４が開放状態となり、打球が大入賞口３４に流入可能となる。
【００４０】
この大入賞口３４の開放状態は、大入賞口３４に打球が所定数入賞するまで、例えば１０個入賞するまで、又は開放状態となってから所定時間経過するまで、例えば３０秒経過するまで継続する。その後、大入賞口３４は閉鎖状態となる。尚、大入賞口３４が開放状態となっている間に、大入賞口３４に設けられた特定領域（図示せず）を打球が通過していたときには、大入賞口３４を一旦閉鎖状態とした後に再び開放状態とする。この大入賞口３４の開放状態と閉鎖状態との動作は、複数回、例えば１５回に至るまで繰り返され、その後、大入賞口３４は閉鎖状態となる。
【００４１】
図１に示した弾球遊技機の裏面の構造の一例を図２に示す。
弾球遊技機１０の前枠１４の裏側には、裏セット盤１００が設けられており、裏セット盤１００には、賞球用の予備タンク１１０や、賞球払出装置１２０や、賞球制御装置２３０や、賞球用の予備タンク１１０から賞球払出装置１２０へ貯留球を供給する賞球通路１４０や、弾球遊技機１０を全体的に制御する主制御装置２００や、打球発射装置１６０を制御する発射制御装置１５０が設けられている。
【００４２】
上述した賞球制御装置２３０は、主制御装置２００から発せられる制御信号に基づいて賞球に関する制御を行い、賞球払出装置１２０は、賞球制御装置２３０から発せられる制御信号に基づいて所定の個数の賞球を上皿１８又は下皿２０に払い出す。
【００４３】
また、遊技盤２４の裏面の略中央には、上述した画像表示装置３０を制御する画像制御装置２６０も設けられている。
【００４４】
上述した入賞口３２〜３８には、打球を案内する通路（図示せず）が接続されており、通路には、打球が通過したことを検出する入賞口センサ（後述する図３において示す１７０）が設けられている。この入賞口センサ１７０によって通過を検出された打球は、裏セット盤１００の遊技済み球流路に流下し、弾球遊技機１０の外部に排出される。
【００４５】
一方、アウト口４４に流入した打球は、入賞口センサ１７０に通過を検出されることなく、直ちに裏セット盤１００の遊技済み球流路に流下し、弾球遊技機１０の外部に排出される。
【００４６】
上述した入賞口センサ１７０は、主制御装置２００に電気的に接続されており、入賞口センサ１７０が、打球の通過を検出したときには、主制御装置２００に検出信号を発する。主制御装置２００は、賞球制御装置２３０に複数本の信号線（図示せず）を介して電気的に接続されており、主制御装置２００は、入賞口センサ１７０から発せられた検出信号に基づいて、賞球制御装置２３０に賞球命令を発する。賞球制御装置２３０は、賞球払出装置１２０に電気的に接続されており、賞球制御装置２３０は、賞球払出装置１２０から所定数の賞球を払い出すべく、主制御装置２００から発せられた賞球命令に従って賞球払出装置１２０を駆動し、賞球払出装置１２０は、所定の数の賞球を上皿１８又は下皿２０に払い出す。
【００４７】
弾球遊技機１０は、図３に示す如く、主制御装置２００を中心に構成され、入賞口センサ１７０、画像制御装置２６０、賞球制御装置２３０、大入賞口駆動源１８０及び各種ランプ１９０の各々が電気的に接続されている。尚、大入賞口駆動源１８０は、上述した大入賞口３４を開放状態又は閉鎖状態にするためのソレノイドであり、各種ランプ１９０は、遊技盤２４上やその周囲に設けられ、遊技の進行状況に応じて点灯したり点滅したりするランプである。
【００４８】
主制御装置２００は、上述した画像表示装置３０に表示する画像データの処理をするための画像制御装置２６０に複数の導電線からなる信号線（図示せず）により電気的に接続されている。また、画像制御装置２６０は、上述した画像表示装置３０に電気的に接続されている。
【００４９】
特定入賞口２４の入賞口に遊技球が入賞したときには、上述した信号線を介して画像制御装置２６０に対して図柄の変動開始命令信号を発する。図柄の変動開始命令信号を受信した画像制御装置２６０は、画像制御装置２６０のリードオンリーメモリ等の記憶装置から所定の画像データ、例えば図柄の画像データを読み出し画像表示装置３０に供給する。
【００５０】
上述した弾球遊技機における主制御装置２００と、賞球制御装置２３０や画像制御装置２６０との回路構成を示すブロック図を図４に示す。
【００５１】
主制御装置２００は、中央処理回路（以下、ＣＰＵと称する）２０２、リードオンリーメモリ（以下、ＲＯＭと称する）２０４、ランダムアクセスメモリ（以下、ＲＡＭと称する）２０６、クロック発生回路２０８、入出力インターフェイス回路２１０からなり、これらは入出力バス２１２に接続されており、入出力バス２１２は、データ信号又はアドレス信号が入出力されるようになされている。
【００５２】
ＲＯＭ２０４には、遊技を進行を制御するためのプログラムや、後述する図６図１１、図１４又は図１９に示す如き識別信号を出力するためのサブルーチンのプログラムが記憶されている。これらのプログラムは、ＲＯＭ２０４から適宜読み出されてＣＰＵ２０２により実行される。ＲＡＭ２０６は、これらのプログラムが実行されるときに使用される変数の値やフラグの値を記憶する。
【００５３】
ＲＯＭ２０４には、後述する図７、図１６、図１７又は図１８に示す如き信号線割当パターンも記憶されている。この信号線割当パターンは、図６に示すサブルーチンが実行されたときに、その値が読み出される。
【００５４】
また、クロック発生回路２０８は、遊技の進行のタイミングを定めるためのクロック信号を所定の時間間隔で発する。
【００５５】
尚、この主制御装置２００には、上述した入賞検出センサ等のセンサ（図示せず）が接続されており、センサから発せられた信号に基づいて遊技の進行状況に応じた処理が実行される。
【００５６】
賞球制御装置２３０や画像制御装置２６０の構成は、主制御装置２００と同様の構成である。賞球制御装置２３０は、ＣＰＵ２３２、ＲＯＭ２３４、ＲＡＭ２３６、クロック発生回路２３８、入出力インターフェイス回路２４０からなる。また、画像制御装置２６０は、ＣＰＵ２６２、ＲＯＭ２６４、ＲＡＭ２６６、クロック発生回路２６８、入出力インターフェイス回路２７０からなる。
【００５７】
賞球制御装置２３０のＲＯＭ２３４には、賞球払出装置１２０を制御するためのプログラムや、主制御装置２００から発せられた賞球命令に対応するデータ等の各種のデータが記憶されている。更に、賞球制御装置２３０のＲＯＭ２３４には、後述する図９、図１２又は図１３に示す識別信号を受信するためのプログラムや、図１０又は図１５に示す信号線の状態を判断するためのプログラムが記憶されている。
【００５８】
また、画像制御装置２６０のＲＯＭ２６４には、画像表示装置３０を制御するためのプログラムや、図柄の画像データ等の種々の画像データや表示すべきメッセージのデータが記憶されている。更に、画像制御装置２６０のＲＯＭ２６４には、後述する図９、図１２又は図１３に示す識別信号を受信するためのプログラムや、図１０又は図１５に示す信号線の状態を判断するためのプログラムが記憶されている。
【００５９】
上述した主制御装置２００の入出力インターフェイス回路２１０は、信号線２５０を介して賞球制御装置２３０の入出力インターフェイス回路２４０に電気的に接続されている。また、主制御装置２００の入出力インターフェイス回路２１０は、信号線２８０を介して画像制御装置２６０の入出力インターフェイス回路２７０にも電気的に接続されている。
【００６０】
上述した主制御装置２００から「遊技機における第１装置」が構成され、賞球制御装置２３０や画像制御装置２６０から「遊技機における第２装置」が構成される。尚、主制御装置２００を「第２装置」として、賞球制御装置２３０や画像制御装置２６０を「第１装置」としてもよい。
【００６１】
信号線２５０や２８０は、４本や８本等の２ｎ本（ｎは正の整数値）の複数の導電線から構成されたり、７本や１３本等の２ｎ＋ｍ本（ｎは正の整数値、ｍは１以上で（２ｎ＋１−２ｎ）未満の正の整数値）の複数の導電線から構成される。この信号線２５０や２８０から「遊技機における第１装置と第２装置とを互いに電気的に接続する２ｎ本の信号線」や、「遊技機における第１装置と第２装置とを互いに電気的に接続する２ｎ＋ｍ本の信号線」をなす。
【００６２】
上述した主制御装置２００と、賞球制御装置２３０や画像制御装置２６０との機能ブロック図を図５に示す。尚、この図５に示した機能ブロック図は、後述する如く、主制御装置２００から発せられる識別信号を、賞球制御装置２３０や画像制御装置２６０で受信して、信号線２５０や２８０の接続状態を判断する機能に関するもののみを示す。上述した如く、主制御装置２００と、賞球制御装置２３０や画像制御装置２６０とは、信号線２５０や２８０によって互いに電気的に接続されている。
【００６３】
主制御装置２００は、識別信号供給手段２１４を含み、識別信号供給手段２１４は、識別信号生成手段２１６と信号線割当手段２１８とからなる。信号線割当手段２１８は、信号線２５０又は２８０を構成する各々の信号線に対して如何なる識別信号を割り当てるかを定めるものである。また、識別信号生成手段２１６は、信号線割当手段２１８によって割り当てられた識別信号を生成するものである。このような構成とすることにより、識別信号供給手段２１４は、信号線２５０や２８０を構成する各々の信号線を識別し得る識別信号を賞球制御装置２３０や画像制御装置２６０に供給することができるのである。
【００６４】
賞球制御装置２３０や画像制御装置２６０は、識別信号受信手段２９０を含み、識別信号受信手段２９０は、信号線判断手段２９２を含む。識別信号受信手段２９０は、信号線２５０や２８０に供給された信号を受信する。信号線判断手段２９２は、識別信号受信手段２９０により受信した信号が示す値に基づいて信号線２５０や２８０の接続状態を判断する。後述する如く、受信した信号が示す値とは、受信信号を２値化することにより得られるデータ値、例えば「０」又は「１」であり、信号線の接続状態の判断は、このデータ値から判断するものである。
【００６５】
以下において、本発明の本質となる部分について、幾つかの実施形態を例示して説明する。尚、以下においては、弾球遊技機は起動されており、上述した如きＣＰＵ、ＲＯＭ、ＲＡＭ、入出力インターフェイス回路、入出力バス等は、定常動作しているものとする。
【００６６】
〔第１実施例〕
上述した主制御装置２００において実行される識別信号の送信処理のサブルーチンを図６に示す。
最初に、変数やフラグの値を初期化等を行う初期処理を実行し（ステップＳ１１）、主制御装置２００のＲＯＭ２０４から信号線割当パターンを読み出す（ステップＳ１２）。
この信号線割当パターンは、図７（ａ）に示す如きテーブルとしてＲＯＭ２０４に記憶されている。図７（ａ）に示した例は、信号線２５０や２８０は、８本、即ち２３本の信号線から構成されているときのものである。尚、便宜のために、８本の信号線を第１信号線〜第８信号線と称して区別することとする。また、信号が示す値については、２値化することにより得られるデータ値「０」又は「１」を用いて示す。
ステップＳ１２が最初に実行されたときには、図７（ａ）に示したテーブルの第１回目の行が読み出される。即ち、第１信号線〜第４信号線に対しては「１」を、第５信号線〜第８信号線に対しては「０」となるパターンで信号線の各々に信号を割り当てることとなる。この図７（ａ）に示したテーブルの横方向の１つの行に示したパターンが１つの「信号線割当パターン」を示すものである。
ステップＳ１２の処理を実行した後、信号を出力するタイミングであるか否かを判断する（ステップＳ１３）。信号を出力するタイミングでないと判別したときには、信号を出力するタイミングまで待機する。一方、信号を出力するタイミングであると判別したときには、ステップＳ１２で読み出した信号線割当パターンに応じた信号を生成して（ステップＳ１４）、生成した信号を信号線２５０や２８０に出力する（ステップＳ１５）。
ここで生成される信号は、例えば、データ値「０」については０ボルトの電圧信号として生成され、データ値「１」については５ボルトの電圧信号として生成される。尚、信号の電圧値は、ここで示した電圧値に限られず、例えば、データ値「０」については２．５ボルトの電圧信号として生成し、データ値「１」については４．６ボルトの電圧信号として生成することとしてもよい。このような信号を生成することとしたことにより、「低レベルの信号」や「高レベルの信号」をなすこととなる。
尚、上述した実施例においては、電圧の値により高低を区別する場合を示したが、信号線２５０や２８０を流れる信号を検出し得るなんらかの測定手段により高低を識別し得る信号であるならば、「低レベルの信号」や「高レベルの信号」に含まれることとなる。
【００６７】
次に、全ての信号線割当パターンについて信号線２５０や２８０に信号を出力したか否かを判断する（ステップＳ１６）。この判断は、後述する如く、信号線の本数が２ｎ本であるときには、ｎ回に至ったか否かを判断するものである。例えば、信号線の本数が８本であるときには、３回に至ったかを判断するのである。
全ての割当パターンを信号線２５０や２８０に出力していないと判別したときには、上述したステップＳ１２に処理を戻す。２回目の処理を行うときには、ステップＳ１２においては、図７（ａ）に示す第２回目の行の信号線割当パターンを読み出す。即ち、第１信号線、第２信号線、第５信号線及び第６信号線に対しては「１」を、第３信号線、第４信号線、第７信号線及び第８信号線に対しては「０」となる信号線割当パターンで信号線の各々に信号を割り当てる。
また、３回目のステップＳ１２の処理が実行されたときには、図７（ａ）に示す第３回目の行の信号線割当パターンを読み出す。即ち、第１信号線、第３信号線、第５信号線及び第７信号線に対しては「１」を、第２信号線、第４信号線、第６信号線及び第８信号線に対しては「０」となる信号線割当パターンで信号線の各々に信号を割り当てるのである。
信号線の本数が８本のときには、上述した如く、ステップＳ１２〜Ｓ１６の処理を３回繰り返す。第１回目のときには、図７（ａ）に示したテーブルの第１回目の行を読み出して信号を生成し、第２回目のときには、図７（ａ）に示したテーブルの第２回目の行を読み出して信号を生成され、第３回目のときには、図７（ａ）に示したテーブルの第３回目の行を読み出して信号を生成するのである。ステップＳ１２〜Ｓ１６の処理が３回繰り返されると、上述したステップＳ１６において、全ての信号線割当パターンについて信号線２５０や２８０に信号を出力したと判別して本サブルーチンを終了する。
このような処理をすることにより、信号線の本数が２ｎ本のときには、ｎ回までステップＳ１２〜Ｓ１６の処理を繰り返すこととなる。
上述したステップＳ１２〜Ｓ１６の処理を繰り返し実行することにより、２ｎ本の信号線の各々を識別することができる識別信号、即ち、２ｎ本の信号線の全てについて異なる信号を生成することができるのである。例えば、第１信号線について生成された信号は、「１」−「１」−「１」であり、これが第１信号線の識別信号である。また、第６信号線について生成された信号は、「０」−「１」−「０」であり、これが第６信号線の識別信号である。
また、信号線の本数が２ｎ本のときには、ｎ＋１回までステップＳ１２〜Ｓ１６の処理を繰り返すこととしてもよい。例えば、信号線の本数が８本であるときには、４回までステップＳ１２〜Ｓ１６の処理を繰り返すのである。
【００６８】
上述した実施例において、第４回目の信号を生成するときには、図７（ａ）に示す第４回目の行の信号線割当パターンを読み出して信号を生成する。即ち、第１信号線に対してはデータ値「０」を、第８信号線に対してはデータ値「１」となる信号線割当パターンで信号を割り当てる。尚、図７（ａ）の第４回目の行に示した「−」の記号は、任意のデータ値の信号を割り当ててよいことを示すものである。即ち、第４回目の行の信号線割当パターンにおいて、第２信号線〜第７信号線に対してはデータ値「０」を割り当ててもデータ値「１」を割り当ててもよいのである。
４回まで信号線を割当てることとした場合には、第１信号線の識別信号は、「１」−「１」−「１」−「０」となり、第８信号線の識別信号は、「０」−「０」−「０」−「１」となる。
このように４回まで信号線の割当てを行い識別信号を生成するとしたときには、後述する如く、２ｎ本の信号線の全てについて、その接続状態を的確に判別することができるのである。
このような処理をすることにより、「前記ｎ回までの各回の全てについて低レベルの信号を発した信号線については、高レベルの信号を、かつ前記ｎ回までの各回の全てについて高レベルの信号を発した信号線については、低レベルの信号を、ｎ＋１回目に生成すること」をなす。
【００６９】
図７（ａ）に示した信号線割当パターンで図６に示したフローチャートの処理を実行したときに生成される識別信号のタイムチャートを図８に示す。尚、この図８に示した例は、信号線の本数が８本のときで、４回まで信号線の割当てを行って信号を生成したときのものである。また、第４回目の信号線の割当てにおいて、第２信号線〜第７信号線についてはデータ値「０」を割り当てたものである。
第１信号線〜第８信号線について第１回目の信号の割当によって生成された信号は、ＳＧ１１〜ＳＧ８１である。このＳＧ１１〜ＳＧ８１は、図７（ａ）の第１回目の行の信号線割当パターンに対応することとなる。また、第１信号線〜第８信号線について第２回目の信号の割当によって生成された信号ＳＧ１２〜ＳＧ８２は、図７（ａ）の第２回目の行の信号線割当パターンに対応する。更に、第１信号線〜第８信号線について第３回目の信号の割当によって生成された信号ＳＧ１３〜ＳＧ８３は、図７（ａ）の第３回目の行の信号線割当パターンに対応し、第４回目の信号の割当によって生成された信号ＳＧ１４〜ＳＧ８４は、図７（ａ）の第４回目の行の信号線割当パターンに対応する。
このようにして生成された信号は、第１信号線〜第８信号線の全てについて異なる信号となり、第１信号線〜第８信号線を識別することができる識別信号をなすこととなる。例えば、第２信号線については、ＳＧ２１とＳＧ２２とＳＧ２３とＳＧ２４とから、「１」−「１」−「０」−「０」なる識別信号をなし、第７信号線については、ＳＧ７１とＳＧ７２とＳＧ７３とＳＧ７４とから、「０」−「０」−「１」−「０」なる識別信号をなす。
上述した実施例においては、図７（ａ）に示した信号線割当パターンを用いて図６に示したフローチャートの処理を実行したときのものを示したが、図７（ｂ）〜（ｄ）に示した信号線割当パターンを用いて図６に示したフローチャートの処理を実行することとしてもよい。
【００７０】
図７（ｂ）に示した例においては、第１回目の割当てでは、第１信号線、第３信号線、第５信号線及び第７信号線に対しては「１」を、第２信号線、第４信号線、第６信号線及び第８信号線に対しては「０」を割当てる。第２回目には、第１信号線、第２信号線、第５信号線及び第６信号線に対しては「１」を、第３信号線、第４信号線、第７信号線及び第８信号線に対しては「０」を割当てる。更に、第３回目には、第１信号線、第２信号線、第３信号線及び第４信号線に対しては「１」を、第５信号線、第６信号線、第７信号線及び第８信号線に対しては「０」を割当てる。このように信号を生成することとしても、第１信号線〜第８信号線の全てについて異なる信号を生成することができ、この信号を第１信号線〜第８信号線を識別することができる識別信号とすることができる。
図７（ｃ）や図７（ｄ）に示した例においても、第１信号線〜第８信号線の全てについて異なる信号を生成することができ、この信号を第１信号線〜第８信号線を識別することができる識別信号とすることができる。
この図７（ａ）〜（ｄ）に示した如く、割当の各回のパターンは全て異なるものであるが、常に、半分の信号線に対しては「１」を割当て、残りの半分の信号線に対しては「０」を割当てている。このような処理をすることにより、「各回ごとの信号生成に際して、２ｎ／２本の信号線には低レベルの信号を割り当て、残りの信号線には高レベルの信号を割り当てた信号線割当パターンで信号を生成する」ことをなし得る。
また、図７（ａ）〜（ｄ）に示した割当パターンに限られることはなく、信号線の各々に割り当てる各回の割当パターンの全てが異なるものであればよく、「各回ごとの信号線割当パターンの全てを異ならしめて前記識別信号を生成する」こともなし得るのである。
また、上述した如き構成で処理を実行することにより、「前記信号線の各々について、前記低レベルの信号又は前記高レベルの信号のいずれかの信号を順次生成し、これをｎ回まで行って生成した信号を前記識別信号として前記信号線に発する」ことをなし得る。
【００７１】
更に、図７に示した如き信号線割当パターンを用いて識別信号を生成することにより、「今回の信号線の割り当てについて、前回の信号線の割り当ての際に低レベルの信号が割り当てられた信号線の半分の信号線については、低レベルの信号を割り当て、残りの信号線については、高レベルの信号を割り当て、かつ、前回の信号線の割り当ての際に高レベルの信号が割り当てられた信号線の半分の信号線については、高レベルの信号を割り当て、残りの半分の信号線については、低レベルの信号を割り当てる」こともなし得るのである。
更にまた、上述した主制御装置２００のＲＯＭ２０４に記憶させる信号線割当パターンを、遊技機の種類や、演出の種類や、遊技の開始を可能状態する形式等の遊技の態様に基づいて異ならしめて記憶させておくこととしてもよい。
例えば、遊技機が弾球遊技機である場合には、図７（ａ）に示した如き信号線割当パターンをＲＯＭ２０４に記憶させ、遊技機が回胴式遊技機である場合には、図７（ｂ）に示した如き信号線割当パターンをＲＯＭ２０４に記憶させておく。このようにすることで、図６に示したフローチャートのステップＳ１２が実行されたときに、遊技機が弾球遊技機である場合には、図７（ａ）に示した如き信号線割当パターンに応じて生成された信号が識別信号として発せられ、遊技機が回胴式遊技機である場合には、図７（ｂ）に示した如き信号線割当パターンに応じて生成された信号が識別信号として発せられるのである。
このようにしたことにより、主制御装置２００が、弾球遊技機で使用されるべきものか回胴式遊技機で使用されるべきものかを識別することができるとともに、本来接続されることのない装置が接続された場合であっても、そのことを的確に検出することができるのである。このような構成及び処理とすることにより、識別信号を遊技機の種類に基づいて異ならしめることができるのである。
【００７２】
また、遊技機が弾球遊技機である場合において、遊技機がいわゆる現金機と称される遊技機のときには、図７（ｂ）に示した如き信号線割当パターンをＲＯＭ２０４に記憶させ、遊技機がいわゆるＣＲ機（カードリーダ機）と称される遊技機のときには、図７（ｄ）に示した如き信号線割当パターンをＲＯＭ２０４に記憶させておくこととしてもよい。
この場合において図６に示した処理を実行することにより、現金機の場合には、図７（ｂ）に対応する信号が識別信号として発せられ、ＣＲ機の場合には、図７（ｄ）に対応する信号が識別信号として発せられるのである。
このようにしたことにより、主制御装置２００が、現金機で使用されるべきものかＣＲ機で使用されるべきものかを的確にかつ容易に識別することができるが故に、本来接続されることのない装置が遊技機に組み込まれた場合であっても、そのことを的確に検出することができる。例えば、不正行為を行うべく、ＣＲ機に組み込まれるべき主制御装置２００が、現金機に組み込まれたような場合や、その逆の場合であっても、そのことを検出することができるのである。さらにまた、本来ＣＲ機に組み込まれるべき賞球制御装置が、現金機に組み込まれたような場合や、その逆の場合であっても、主制御装置２００は、そのことを検出することができるのである。
このような構成及び処理とすることにより、識別信号を遊技の開始を可能状態する形式に基づいて異ならしめることができるのである。
【００７３】
更に、画像表示装置３０の解像度や表示可能色の数等の仕様の制限から、画像制御装置２６０を適切に組み込む必要が生ずる場合がある。例えば、ある仕様の場合には、図７（ｃ）に示した如き信号線割当パターンをＲＯＭ２０４に記憶させ、他の仕様の場合には、図７（ｂ）に示した如き信号線割当パターンをＲＯＭ２０４に記憶させておくのである。このような場合であっても、図６に示した処理を実行することにより、適切な仕様の画像制御装置２６０が組み込まれたか否かを的確に検出することができるのである。
【００７４】
更にまた、適切な画像制御装置が接続されているか否かを検出することのみならず、ランプ１９０等の制御装置が適切な装置として接続されているか否かも同様に検出することができる。例えば、遊技の進行に伴って行う演出に要するランプ１９０の種類や数に応じた制御装置が接続されているか否かを検出することができるのである。このようにして、演出装置とその制御装置とが不適切な組合せとなった場合も、そのことを的確に検出することができる。このような構成及び処理とすることにより、信号線割当パターンを、演出の種類に基づいて異ならしめることができるのである。
このような構成としたことにより、「前記識別信号生成手段は、前記遊技機における遊技の態様によって定まる前記第１装置及び前記第２装置の機能に基づいて異なる識別信号を生成する」ことをなし得るのである。尚、ここで、「前記遊技機における遊技の態様」とは、遊技の種類、例えば弾球遊技機であるか回胴式遊技機であるか、さらに、遊技の進行に従ってなされる遊技の演出、例えば遊技機に設けられている画像表示装置やランプ等においてなされる演出も含むものである。また、遊技の開始を可能状態する形式、例えばいわゆる現金機かＣＲ機かをも含む概念である。
【００７５】
上述した如き構成をなし処理をすることにより、装置の製造時や修理時において、装置を組立てたり装置同士を接続したりするときに、不適切な装置が遊技機に組み込まれたり接続されたりした場合であっても的確に検出することができるのである。また、不正行為を許容する装置が接続されたりした場合であっても的確かつ容易にそのことを検出することができるのである。
賞球制御装置２３０や画像制御装置２６０において実行される識別信号の受信処理のサブルーチンを図９に示す。
【００７６】
最初に、変数やフラグの値を初期化等を行う初期処理を実行する（ステップＳ２１）。次いで、信号線２５０又は２８０を構成する信号線のうちのいずれかの信号線の信号が示す値が変化したか否かを判断する（ステップＳ２２）。例えば、図８に示した如き信号が、信号線２５０や２８０に供給されたときには、識別信号の第１回目のものであるＳＧ１１〜ＳＧ８１のうちのＳＧ１１〜ＳＧ４１は、「０」から「１」へと信号の値が変化する。この信号の値が変化したときを検出することにより、信号線のいずれかの信号線の信号の値が変化したか否かを判断するのである。
次いで、受信した信号の値を２値化することによりデータ化して（ステップＳ２３）、得られたデータの値をＲＡＭ２３６又は２６６に記憶する（ステップＳ２４）。以下、この処理により得られたデータを受信データと称する。
次に、所定の回数だけ信号を受信したか否かを判断する（ステップＳ２５）。この所定の回数は、上述したステップＳ１６と同様に、信号線の本数が２ｎ本であるときには、ｎ回又はｎ＋１回である。
信号線２５０や２８０に供給された信号を全て受信した後、後述する如き判断処理のサブルーチンを呼び出して実行した後（ステップＳ２６）、本サブルーチンを終了する。
上述した図９のステップＳ２６において呼び出されて実行される判断処理のサブルーチンを図１０に示す。
最初に、変数ｉの値を初期化、例えば１に設定する（ステップＳ３１）。この変数ｉの値は、信号線の番号を示すもので、上述した例においては、第１信号線〜第８信号線の１〜８に相当する。
次に、上述したＲＡＭ２３６又は２６６からｉ番目の信号線のデータを読み出す。例えば、上述した信号線が８本のときの例における第１信号線についての識別信号が、正常に受信されたならば、ＲＡＭ２３６又は２６６から読み出した受信データは、「１」−「１」−「１」−「０」のはずである（ステップＳ３２）。
次いで、上述したＲＯＭ２３４又は２６４に予め記憶されているｉ番目の信号線についてのチェックデータを読み出す（ステップＳ３３）。このチェックデータは、信号線２５０や２８０が適切に接続されているならば受信されることとなる識別信号を２値化してデータ化したものである。
この後、実際に受信したｉ番目の信号線についての受信データと、ＲＯＭ２３４又は２６４から読み出したチェックデータと、を比較する（ステップＳ３４）。受信データとチェックデータとが異ならないと判別したときには、受信した信号は、予定していた識別信号に一致したとして、後述するステップＳ４０に処理を移す。
【００７７】
一方、受信データとチェックデータとが異なると判別したときには、読み出した受信データの値が全て「１」であるか否かを判断する（ステップＳ３５）。受信データの値が全て「１」であると判別したときには、ｉ番目の信号線は、短絡状態にあると決定する（ステップＳ３６）。受信データの値が全て「１」でないと判別したときには、受信データの値が全て「０」であるか否かを判断する（ステップＳ３７）。受信データの値が全て「０」であると判別したときには、ｉ番目の信号線は、断線状態にあると決定する（ステップＳ３８）。受信データの値が全て「０」でないと判別したときには、ｉ番目の信号線については、配線間違いがなされたと決定する（ステップＳ３９）。
上述したステップＳ３４、ステップＳ３６、ステップＳ３８又はステップＳ３９の処理を実行した後、変数ｉの値を１だけ増加して（ステップＳ４０）、全ての信号線について判断したか否かを判断する（ステップＳ８１）。即ち、２ｎ本の信号線の全てについて判断したかを判断するのである。全ての信号線について判断していないと判別したときには、上述したステップＳ３２に処理を戻す。
また、ステップＳ８１において、全ての信号線について判断したと判別したときには、本サブルーチンを直ちに終了する。
上述した如く、信号線の本数が８本のときには、信号線の割当の回数は、３回又は４回である。信号線の割当の回数を３回としたときには、第２信号線〜第７信号線については、上述した判断処理により、信号線の接続状態を判断することができる。しかしながら、信号線の割当の回数を３回としたときには、第１信号線は、「１」−「１」−「１」であり全て「１」であるが故に、上述した判断処理では、信号線の接続状態を判断することができない。また、信号線の割当の回数を３回としたときには、第８信号線は、「０」−「０」−「０」であり全て「０」であるが故に、上述した判断処理では、信号線の接続状態を判断することができない。
このようなことから、信号線の割当の回数を４回とし、第４回目の割当で、第１信号線には「０」を割り当て、第８信号線には「１」を割り当てるのである。このようにすることにより、上述した判断処理で、全ての信号線の接続状態を判断することができるのである。
このように信号線の本数が２ｎ本であるときに、ｎ＋１回まで信号線の割当をすることにより、全ての信号線の接続状態を判断することができるのである。
【００７８】
〔第２実施例〕
上述した第１実施例は、主制御装置２００から賞球制御装置２３０や画像制御装置２６０へ識別信号を一方的に送信するものであった。これに対して賞球制御装置２３０や画像制御装置２６０から主制御装置２００へ送信許可信号を送信し、送信許可信号を受信したときのみ、賞球制御装置２３０や画像制御装置２６０へ主制御装置２００が識別信号を送信する構成、いわゆるアンサーバック方式を採用する構成としてもよい。以下にその例を示す。
この場合における主制御装置２００において実行される識別信号の送信処理のサブルーチンを図１１に示す。尚、このサブルーチンは、上述した図６のサブルーチンに対応するもので、同一の処理をするステップについては、同一の符号を付して示し、一部の処理の説明については省略することとする。
ステップＳ１７においては、賞球制御装置２３０や画像制御装置２６０から送信許可信号が送信されたか否かを判断する。送信許可信号が送信されたと判別したときには、割当パターンに応じた信号を生成し（ステップＳ１４）、生成した信号を識別信号として賞球制御装置２３０や画像制御装置２６０に送信するのである（ステップＳ１５）。
一方、賞球制御装置２３０や画像制御装置２６０においては、図１２に示す如きサブルーチンが実行される。尚、このサブルーチンは、上述した図９のサブルーチンに対応するもので、同一の処理をするステップについては、同一の符号を付して示し、一部の処理の説明については省略することとする。
ステップＳ２１において初期処理を実行した後、送信許可信号を主制御装置２００に送信するかを判断する（ステップＳ２７）。この判断は、例えば、賞球制御装置２３０や画像制御装置２６０において、主制御装置２００からの信号を受信して処理を実行する余裕があるか否か、又は主制御装置２００からの信号を受信すべきタイミングであるか否かを判断することにより行われるものである。
送信許可信号を主制御装置２００に送信しないと判別したときには、そのまま待機する。一方、送信許可信号を主制御装置２００に送信すると判別したときには、送信許可信号を主制御装置２００に送信し（ステップＳ２８）、上述した如きステップＳ２２以降の処理を実行する。
このように賞球制御装置２３０や画像制御装置２６０から送信許可信号を受信したときにのみ、主制御装置２００から識別信号を賞球制御装置２３０や画像制御装置２６０に送信する構成にすることにより、余裕をもって信号を受信することができ、受信した信号を的確に判断することができるのである。
尚、この第３実施例においても、上述した第１実施例と同様に、主制御装置２００のＲＯＭ２０４に記憶させる信号線割当パターンを、遊技機の種類や、演出の種類や、遊技の開始を可能状態する形式等の遊技の態様に基づいて異ならしめて記憶させておくこととしてもよい。図１１に示したフローチャートが実行されたときには、上述した第１実施例において説明した如く、遊技機の種類や、演出の種類や、遊技の開始を可能状態する形式等の遊技の態様に基づいて異なる識別信号を発することができるのである。
このような構成としたことにより、「前記識別信号生成手段は、前記遊技機における遊技の態様によって定まる前記第１装置及び前記第２装置の機能に基づいて異なる識別信号を生成する」ことをなし得るのである。このようにすることにより、装置の製造時や修理時において、装置を組立てたり装置同士を接続したりするときに、不適切な装置が遊技機に組み込まれたり接続されたりした場合であっても的確に検出することができるのである。また、不正行為を許容する装置が接続されたりした場合であっても的確かつ容易にそのことを検出することができるのである。
【００７９】
〔第３実施例〕
更に、賞球制御装置２３０や画像制御装置２６０が受信した信号について判断し、その結果に基づいて上述した送信許可信号を発するか否かを定めることとしてもよい。
このような構成としたときにおける賞球制御装置２３０や画像制御装置２６０において実行される識別信号の受信処理のサブルーチンを図１３に示す。尚、このサブルーチンは、上述した図９や図１１のサブルーチンに対応するもので、同一の処理をするステップについては、同一の符号を付して示し、一部の処理の説明については省略することとする。
ステップＳ２３において、受信した信号の値を２値化することによりデータ化した後、この受信データの値に基づいて受信した信号が予定していた信号と一致するか否かを判断する（ステップＳ２９）。尚、このステップＳ２９における処理は、上述した第１実施例において示した図１０のステップＳ３２〜Ｓ３４と同様の処理をするもので、実際に受信した信号を２値化した受信データと、ＲＯＭ２３４又は２６４から読み出したチェックデータと、を比較する処理を行うものである。
例えば、図７（ａ）に示した信号線割当パターンで主制御装置２００が信号を出力すると定めた場合には、主制御装置２００から識別信号として出力される第１回目の信号は、第１信号線〜第８信号線の全てについて、「１」−「１」−「１」−「１」−「０」−「０」−「０」−「０」であり、賞球制御装置２３０や画像制御装置２６０においては、この信号が受信されるはずである。従って、賞球制御装置２３０や画像制御装置２６０は、受信した信号が主制御装置２００から出力された信号と一致するか否かをステップＳ２９において判断するのである。
ステップＳ２９において、受信した信号が予定していた信号と一致すると判別したときには、送信許可信号を主制御装置２００に送信し、上述したステップＳ２５の処理を実行する。一方、ステップＳ２９において、受信した信号が予定していた信号と一致しないと判別したときには、直ちに本サブルーチンを終了する。
このような処理をすることとするにより、信号線の接続状態を迅速に判断することができるとともに、識別信号の送受信を的確に行うことができるのである。
【００８０】
〔第４実施例〕
上述した第１実施例〜第３実施例は、主制御装置２００において、ＲＯＭ２０４に予め記憶されている信号線割当パターンに応じて信号を生成する場合を示したが、これに限られず、信号を生成する際にその度ごとに演算処理により信号線割当パターンを定めることとしてもよい。
このような処理をするサブルーチンを図１４に示す。尚、このサブルーチンは、上述した図６のサブルーチンに対応するもので、同一の処理をするステップについては、同一の符号を付して示し、一部の処理の説明については省略することとする。
最初に、初期処理を行う（ステップＳ１１）。尚、このサブルーチンにおける処理は、全ての信号線に対して「０」を割当てる処理、又は全ての信号線に対して「１」を割当てる処理、並びに図１４に示したステップＳ４１〜Ｓ１５の処理を繰り返して実行する最大回数ｎの値を定める処理を含む。
次に、「１」が割当てられていた信号線の半分の信号線については、「０」を割当て（ステップＳ４１）、「１」が割当てられていた信号線の残りの半分の信号線について、「１」を割当てる（ステップＳ４２）。次いで、「０」が割当てられていた信号線の半分の信号線については、「０」を割当て（ステップＳ４３）、「０」が割当てられていた信号線の残りの半分の信号線について、「１」を割当てる（ステップＳ４４）。この後、上述したステップＳ１３〜ステップＳ１５の処理を実行した後、ステップＳ４１〜Ｓ１５の処理を実行した回数が、上述したステップＳ１１において定めた最大回数ｎに至ったか否かを判断する（ステップＳ４５）。処理回数が、最大回数ｎに至っていないと判別したときには、ステップＳ４１に処理を戻す。一方、処理回数が、最大回数ｎに至ったと判別したときには、直ちに本サブルーチンを終了する。
上述した処理を実行することにより、例えば、信号線の本数が８本である場合に、上述したステップＳ４１〜ステップＳ４４の処理を最初に実行したときには、図７（ａ）の第１回目の信号線割当パターンと同一のものが得られる。また、２回目にステップＳ４１〜ステップＳ４４の処理を実行したときには、図７（ａ）の第２回目の信号線割当パターンと同一のものが得られる。更に、３回目にステップＳ４１〜ステップＳ４４の処理を実行したときには、図７（ａ）の第３回目の信号線割当パターンと同一のものが得られることとなる。
尚、上述したステップＳ４５の処理を実行した後に、ｎ回までの割当において、全て「０」が割当てられた信号線に対しては「１」を割当て、全て「１」が割当てられた信号線に対しては「０」を割当てて信号を出力することとしたときには、間違えて配線されたことや、配線が不正に入れ替えられたこと等の不具合を判別することもできるようになる。
このような処理を追加することにより、「前記識別信号供給手段は、前記ｎ回までの各回の全てについて低レベルの信号を発した信号線については、高レベルの信号を、かつ前記ｎ回までの各回の全てについて高レベルの信号を発した信号線については、低レベルの信号を、ｎ＋１回目に生成する」ことをなし得るのである。
上述した如き処理をすることによっても、「前記信号線の各々について、前記低レベルの信号又は前記高レベルの信号のいずれかの信号を順次生成し、これをｎ回まで行って生成した信号を前記識別信号として前記信号線に発する」ことと、「各回ごとの信号生成に際して、２ｎ／２本の信号線には低レベルの信号を割り当て、残りの信号線には高レベルの信号を割り当てた信号線割当パターンで信号を生成するとともに、各回ごとの信号線割当パターンの全てを異ならしめて前記識別信号を生成する」ことをなし得るのである。
尚、上述したステップＳ４１〜Ｓ４４の処理を実行する際に、遊技機の種類や、演出の種類や、遊技の開始を可能状態する形式等の遊技の態様に基づいて異なるように、信号線を割り当てることとしてもよい。この処理は、ステップＳ４１〜Ｓ４４の処理の各々において、「０」や「１」を割り当てるべき信号線を遊技の態様に基づいて選択しておき、選択した信号線について「０」や「１」を割り当てることにより行うことができる。
このような処理をすることによっても、上述した第１実施例における場合と同様に、遊技機の種類や、演出の種類や、遊技の開始を可能状態する形式等の遊技の態様に基づいて異なる識別信号を発することができるのである。
このような処理をすることにより、「前記識別信号生成手段は、前記遊技機における遊技の態様によって定まる前記第１装置及び前記第２装置の機能に基づいて異なる識別信号を生成する」ことをなし得るのである。このようにしたことによって、装置の製造時や修理時において、装置を組立てたり装置同士を接続したりするときに、不適切な装置が遊技機に組み込まれたり接続されたりした場合であっても的確に検出することができるのである。また、不正行為を許容する装置が接続されたりした場合であっても的確かつ容易にそのことを検出することができるのである。
【００８１】
〔第５実施例〕
上述した図１０に示した判断処理は、信号線の各々について各回に受信した信号の各々について判断するものであったが、受信した信号の全ての回数のものを一度に判断することとしてもよい。このように処理する例を図１５に示す。
最初に、変数である検査データを初期化、例えば検査データに０を代入し（ステップＳ５１）、変数ｉに２を格納する（ステップＳ５２）。
次いで、第１回目の受信データと第ｉ回目の受信データとのＸＯＲ演算を行い、その結果を変数Ｚに格納し（ステップＳ５３）、Ｚと検査データとのＯＲ演算を行い、その結果を検査データに格納する（ステップＳ５４）。
次に、変数ｉの値を１だけ増加させ（ステップＳ５５）、変数ｉの値が受信に要した全回数以下であるか否かを判断する（ステップＳ５６）。この受信に要した全回数は、例えば、信号線の本数が８本であるときには、４回である。即ち、信号線の本数が２ｎ本のときには、ｎ＋１回である。変数ｉの値が受信に要した全回数以下であると判別したときには、処理をステップＳ５３に戻す。
実際に受信した信号が予定していた信号であるならば、上述したステップＳ５３及びＳ５４の処理を繰り返し実行する間に、受信データが「０」となるときと、「１」となるときとの双方の場合が必ず生ずる。このため、処理を繰り返す間に、ステップＳ５３におけるＸＯＲ演算によって得られるＺの値は必ず１となり、ステップＳ５４におけるＯＲ演算によって検査データの値は１となる。検査データの値が一旦「１」となったときは、その後、Ｚの値が「０」となったときにおいても、「１」となったときにおいても、検査データの値は常に「１」となるのである。このような処理を実行することにより、実際に受信した信号が予定していた信号であるときには、検査データの値は「１」となるのである。
上述したステップＳ５６において、変数ｉの値が受信に要した全回数より大きいと判別したときには、変数ｋに１を代入し（ステップＳ５７）、ｋ番目の信号線の検査データの値が１であるか否かを判断する（ステップＳ５８）。ｋ番目の信号線の検査データの値が１であると判別したときには、後述するステップＳ６２に処理を移す。ｋ番目の信号線の検査データの値が１でないと判別したときには、ｋ番目の信号線は、短絡状態にあると決定する（ステップＳ６０）。受信データの値が全て「１」でないと判別したときには、ｋ番目の信号線は、断線状態にあると決定する（ステップＳ６１）。
上述したステップＳ５８、Ｓ６０又はＳ６１の処理を実行した後、変数ｋの値を１だけ増加させ（ステップＳ６２）、変数ｋの値が信号線の全本数以下であるか否かを判断する（ステップＳ６２）。変数ｋの値が信号線の全本数以下であると判別したときには、処理をステップＳ５８に戻し、変数ｋの値が信号線の全本数より大きいと判別したときには、本サブルーチンを終了する。
このような処理をすることとしたことにより、判断処理を簡略なものにすることができるのである。
【００８２】
〔第６実施例〕
上述した実施例は、信号線の本数が２ｎ本（ｎは正の整数）、例えば、８本や１６本である場合のものを示したが、信号線の本数が２ｎ＋ｍ本（ｎは正の整数値で、ｍは１以上で（２ｎ＋１−２ｎ）未満の正の整数値）である場合の例を以下に示す。
信号線の本数が２ｎ＋ｍ本であるときには、２ｎ＋１本の仮想的な信号線を想定して識別信号を生成することにより行うことができる。
例えば、信号線の本数が５本であるときには、ｎ＝２、ｍ＝１であるので、本数が２２＋１本＝８本である仮想的な信号線を想定して識別信号を生成する。その例を図１６（ａ）〜（ｄ）に示す。この図１６（ａ）〜（ｄ）は、図７（ａ）に示した信号線割当パターンを仮想的な８本の信号線の信号線割当パターンとするものである。即ち、図７（ａ）に示した８本分の信号線割当パターンを仮想的な８本の信号線の信号線割当パターンとし、この８本分の信号線割当パターンから５本分の信号線割当パターンを選択し、その選択した信号線割当パターンを現実の５本の信号線の信号線割当パターンとして割り振るのである。
図１６（ａ）に示した例においては、図７（ａ）に示した８本分の信号線割当パターンのうちの第１信号線〜第５信号線のものを、現実の５本の信号線の第１信号線〜第５信号線の信号線割当パターンとしたものである。
また、この図１６（ｂ）は、図７（ａ）に示した８本分の信号線割当パターンのうちの第２信号線〜第６信号線のものを、現実の５本の信号線の第１信号線〜第５信号線の信号線割当パターンとしたものである。同様に、図１６（ｃ）は、図７（ａ）に示した８本分の信号線割当パターンのうちの第３信号線〜第７信号線のものを、現実の５本の信号線の第１信号線〜第５信号線の信号線割当パターンとしたもので、図１６（ｄ）は、図７（ａ）に示した８本分の信号線割当パターンのうちの第４信号線〜第８信号線のものを、現実の５本の信号線の第１信号線〜第５信号線の信号線割当パターンとしたものである。
尚、図１６（ａ）〜（ｄ）に示した例は、図７（ａ）に示した８本の信号線の信号線割当パターンから連続した信号線を選択して、現実の５本の信号線に割り振る場合を示したが、これに限られず８本の信号線のうちから任意の５本の信号線を選択して現実の５本の信号線に割り振ることとしてもよい。例えば、図７（ａ）に示した８本の信号線のうちの第１信号線、第３信号線、第４信号線、第６信号線及び第８信号線を選択して、これらを現実の５本の信号線に割り振ることとしてもよい。
【００８３】
また、信号線の順序を異なるものとしてもよい。例えば、現実の信号線の第１信号線に仮想的な信号線の第６信号線を割り振り、現実の信号線の第２信号線に仮想的な信号線の第３信号線を割り振り、現実の信号線の第３信号線に仮想的な信号線の第８信号線を割り振り、現実の信号線の第４信号線に仮想的な信号線の第３信号線を割り振り、現実の信号線の第５信号線に仮想的な信号線の第８信号線を割り振ることとしてもよい。
図１７（ａ）〜（ｃ）に示した例においては、図７（ａ）に示した８本分の信号線割当パターンのうちの６本分の信号線割当パターンを選択し、これを現実の６本の信号線の第１信号線〜第６信号線の信号線割当パターンとしたものである。
図１８（ａ）及び（ｂ）に示した例においては、図７（ａ）に示した８本分の信号線割当パターンのうちの７本分の信号線割当パターンを選択し、これを現実の７本の信号線の第１信号線〜第７信号線の信号線割当パターンとしたものである。
上述した図１６〜図１８に示した如き信号線割当パターンをＲＯＭ２０４に予め記憶させておき、これを読み出すことにより識別信号を生成することができるのである。
即ち、仮想的な２ｎ＋１本分の信号線割当パターンから２ｎ＋ｍ本分の信号線割当パターンを選択し、その選択した信号線割当パターンを現実の２ｎ＋ｍ本の信号線の信号線割当パターンとして割り振ることにより、信号線の本数が２ｎ＋ｍ本であるときにおける信号線割当パターンを得ることができる。このように得られた信号線割当パターンをＲＯＭ２０４に予め記憶させておき、上述した図６に示したサブルーチンを実行することにより、信号線の本数が２ｎ＋ｍ本であるときにも、信号線の接続状態を検査することができるのである。
上述した如き構成としたことにより、「前記信号線の各々について、前記低レベルの信号又は前記高レベルの信号のいずれかの信号を順次生成し、これをｎ＋１回まで行って生成した信号を前記識別信号として前記信号線に発する」ことと、「前記信号線が２ｎ＋１本あるとして、各回ごとの信号生成に際して、２ｎ＋１／２本の信号線には低レベルの信号を割り当て、残りの信号線には高レベルの信号を割り当てた信号線割当パターンで信号を生成するとともに、各回ごとの信号線割当パターンの全てを異ならしめて２ｎ＋１個の識別信号を生成するとしたときにおける前記２ｎ＋１個の識別信号のうちの２ｎ＋ｍ個の識別信号を、前記２ｎ＋ｍ本の信号線の各々に供給すること」をなし得るのである。
【００８４】
〔第７実施例〕
上述した第６実施例は、主制御装置２００において、ＲＯＭ２０４に予め記憶されている割当パターンに応じて信号を生成する場合を示したが、これに限られず、信号を生成する際にその度ごとに演算処理により信号線割当パターンを定めることとしてもよい。
このような処理をするサブルーチンを図１９に示す。尚、このサブルーチンは、上述した図１４のサブルーチンに対応するもので、同一の処理をするステップについては、同一の符号を付して示し、一部の処理の説明については省略することとする。
最初に、主制御装置２００のＲＡＭ２０６内に、２ｎ＋１本分の仮想的な信号線の信号線割当パターンを記憶するための記憶領域を確保する（ステップＳ７１）。次に、ステップＳ７１で確保した記憶領域に同一のデータを記憶させることにより、２ｎ＋１本分の信号線割当パターンの全てに同一のデータを代入する（ステップＳ７２）。例えば、２ｎ＋１本分の信号線割当パターンの全てに「０」を代入するか、又は「１」を代入する。次いで、現実の２ｎ本分の信号線割当パターンを割り振るべく、２ｎ＋１本から２ｎ本を選択して、選択したものを現実の２ｎ本の信号線に対応付ける（ステップＳ７３）。
次に、図１４のステップＳ４１〜Ｓ４４の処理を実行する。尚、このステップＳ４１〜Ｓ４４の処理は、２ｎ＋１本分の仮想的な信号線の信号線割当パターンに対して行うもので、ステップＳ７１で確保された記憶領域のデータを更新していくことにより行われる。
ステップＳ４１〜Ｓ４４の処理で２ｎ＋１本分の仮想的な信号線の信号線割当パターンが得られた後、現実の２ｎ本の信号線について、信号を生成して出力するのである（ステップＳ１４〜Ｓ１６）。
このように処理することにより、信号生成の度に演算処理を行って信号線割当パターンを得ることができるのである。
このような処理をすることによっても、「前記信号線の各々について、前記低レベルの信号又は前記高レベルの信号のいずれかの信号を順次生成し、これをｎ＋１回まで行って生成した信号を前記識別信号として前記信号線に発する」ことと、「前記信号線が２ｎ＋１本あるとして、各回ごとの信号生成に際して、２ｎ＋１／２本の信号線には低レベルの信号を割り当て、残りの信号線には高レベルの信号を割り当てた信号線割当パターンで信号を生成するとともに、各回ごとの信号線割当パターンの全てを異ならしめて２ｎ＋１個の識別信号を生成するとしたときにおける前記２ｎ＋１個の識別信号のうちの２ｎ＋ｍ個の識別信号を、前記２ｎ＋ｍ本の信号線の各々に供給すること」をなし得るのである。
また、上述した第６実施例や第７実施例においても、第１実施例と同様に、信号線の割当の回数を１回だけ増やすこととしてもよい。例えば、信号線の本数が５本であるときに、信号線の割当の回数を３回ではなく、４回まで行うこととしもよい。このようにすることにより、全ての信号線の接続状態を判断することができるのである。
このように処理することにより、「前記ｎ＋１回までの各回の全てについて低レベルの信号を発した信号線については、高レベルの信号を、かつ前記ｎ＋１回までの各回の全てについて高レベルの信号を発した信号線については、低レベルの信号を、ｎ＋２回目に生成すること」をなし得るのである。
尚、この第７実施例においても、上述した第４実施例と同様に、ステップＳ４１〜Ｓ４４の処理を実行する際に、遊技機の種類や、演出の種類や、遊技の開始を可能状態する形式等の遊技の態様に基づいて異なるように、信号線を割り当てることとしてもよい。第４実施例において説明した如く、ステップＳ４１〜Ｓ４４の処理の各々において、「０」や「１」を割り当てるべき信号線を遊技の態様に基づいて選択しておき、選択した信号線について「０」や「１」を割り当てることにより行うことができるのである。
このような処理をすることによっても、上述した第４実施例における場合と同様に、遊技機の種類や、演出の種類や、遊技の開始を可能状態する形式等の遊技の態様に基づいて異なる識別信号を発することができるのである。
このような処理をすることにより、「前記識別信号生成手段は、前記遊技機における遊技の態様によって定まる前記第１装置及び前記第２装置の機能に基づいて異なる識別信号を生成する」ことをなし得るのである。このようにしたことによって、装置の製造時や修理時において、装置を組立てたり装置同士を接続したりするときに、不適切な装置が遊技機に組み込まれたり接続されたりした場合であっても的確に検出することができるのである。また、不正行為を許容する装置が接続されたりした場合であっても的確かつ容易にそのことを検出することができるのである。
さらに尚、信号線の本数が、２ｎ−２本であるときには、信号線の割当の回数をｎ回とすることにより、誤配線や不正な配線の入れ替えについての判別のみならず、断線や短絡の判別も行うことができるのである。
【図面の簡単な説明】
【００８５】
【図１】弾球遊技機の概観を示す正面図である。
【図２】弾球遊技機の裏側の概略の構造を示す図である。
【図３】弾球遊技機の構成を示すブロック図である。
【図４】主制御装置２００と、賞球制御装置２３０や画像制御装置２６０との回路構成を示すブロック図である。
【図５】主制御装置２００と、賞球制御装置２３０や画像制御装置２６０との機能を示すブロック図である。
【図６】主制御装置２００において実行される識別信号の送信処理のサブルーチンを示すフローチャートである。
【図７】信号線の本数が８本であるときの信号線割当パターンの例を示す図である。
【図８】図６に示したフローチャートの処理を実行したときに生成される識別信号のタイムチャートである。
【図９】賞球制御装置２３０や画像制御装置２６０において実行される識別信号の受信処理のサブルーチンを示すフローチャートである。
【図１０】図９のステップＳ２６において呼び出されて実行される判断処理のサブルーチンをフローチャートである。
【図１１】主制御装置２００において実行される識別信号の送信処理のサブルーチンを示すフローチャートである。
【図１２】賞球制御装置２３０や画像制御装置２６０において実行される識別信号の受信処理のサブルーチンを示すフローチャートである。
【図１３】賞球制御装置２３０や画像制御装置２６０において実行される識別信号の受信処理のサブルーチンを示すフローチャートである。
【図１４】信号を生成する際にその度ごとに演算処理により信号線割当パターンを定めるサブルーチンを示すフローチャートである。
【図１５】賞球制御装置２３０や画像制御装置２６０において、受信した信号の全ての回数のものを一度に判断するサブルーチンを示すフローチャートである。
【図１６】信号線の本数が５本であるときの信号線割当パターンの例を示す図である。
【図１７】信号線の本数が６本であるときの信号線割当パターンの例を示す図である。
【図１８】信号線の本数が７本であるときの信号線割当パターンの例を示す図である。
【図１９】信号線の本数が２ｎ＋ｍ本であるときに、信号を生成する際にその度ごとに演算処理により信号線割当パターンを定めるサブルーチンを示すフローチャートである。
【符号の説明】
【００８６】
２００  主制御装置（第１装置、第２装置）
２１４  識別信号供給手段
２１６  識別信号生成手段
２１８  信号線割当手段
２３０  賞球制御装置（第１装置、第２装置）
２５０  信号線
２６０  画像制御装置（第１装置、第２装置）
２８０  信号線
【図１】
2008221007.tif 000003
【図２】
2008221007.tif 000004
【図３】
2008221007.tif 000005
【図４】
2008221007.tif 000006
【図５】
2008221007.tif 000007
【図６】
2008221007.tif 000008
【図７】
2008221007.tif 000009
【図８】
2008221007.tif 000010
【図９】
2008221007.tif 000011
【図１０】
2008221007.tif 000012
【図１１】
2008221007.tif 000013
【図１２】
2008221007.tif 000014
【図１３】
2008221007.tif 000015
【図１４】
2008221007.tif 000016
【図１５】
2008221007.tif 000017
【図１６】
2008221007.tif 000018
【図１７】
2008221007.tif 000019
【図１８】
2008221007.tif 000020
【図１９】
2008221007.tif 000021